(57)【要約】【課題】浴室排水部を容易に洗浄可能とした浴室排水部の洗浄構造を提供する。【解決手段】本発明は、下部に排水口１４を備えた浴槽１と、排水口１４に設けた排水栓２１と、少なくとも浴槽１からの排水を浴室外に排出する浴室排水部４とを備え、この浴室排水部４洗浄用に前記排水に気泡を供給する気泡供給部６を設けたものである。【選択図】図１
2014095238.tif 000002
【特許請求の範囲】
【請求項１】
下部に排水口を備えた浴槽と、この排水口に設けた排水栓と、少なくとも前記浴槽からの排水を浴室外に排出する浴室排水部とを備え、
この浴室排水部洗浄用に前記排水に気泡を供給する気泡供給部を設けたものであることを特徴とする浴室排水部の洗浄構造。
【請求項２】
前記気泡供給部は、前記気泡を含む機能水を前記浴槽を介して前記排水口に供給する機能水生成部を備えたものであることを特徴とする請求項１記載の浴室排水部の洗浄構造。
【請求項３】
前記気泡供給部は、前記排水口から前記浴室排水部へ流れる前記排水に空気を導入してこの排水中に前記気泡を発生させる空気取入部を備えたものであることを特徴とする請求項１または２記載の浴室排水部の洗浄構造。
【請求項４】
前記排水栓を開閉させる作動部を設け、
この作動部は、前記排水栓を開閉駆動させる駆動部と、前記排水口から前記浴室排水部への排水流量調整用の調整部とを備えたものであることを特徴とする請求項１乃至３のいずれか一項記載の浴室排水部の洗浄構造。
【請求項５】
前記気泡供給部は、前記排水口から前記浴室排水部へ流れる前記排水に空気を導入してこの排水中に前記気泡を発生させる空気取入部と、前記浴槽の水位または排水速度を検出する検出部と、この検出部の検出結果が所定の閾値以下の場合に前記機能水生成部から前記機能水を供給させる制御部とを備えたものであることを特徴とする請求項２記載の浴室排水部の洗浄構造。
【発明の詳細な説明】
【技術分野】
【０００１】
本発明は、浴室排水部の洗浄構造に関する。
【背景技術】
【０００２】
従来から、浴室の排水処理構造として、例えば特許文献１等の遠隔操作式排水栓装置等がある。この装置では、浴槽と、防水パンと、防水パンの下側に取着した排水部材としてのエルボ部材と、浴槽に取着され浴槽の排水をエルボ部材に排出する排水部材と、浴槽の底部に取着した排水栓の開閉を操作レリースを介して遠隔操作する操作部とを備える。
【先行技術文献】
【特許文献】
【０００３】
【特許文献１】特開２００１−２９５３４３号公報
【発明の概要】
【発明が解決しようとする課題】
【０００４】
ところで、前記特許文献１等の従来の排水処理構造では、浴槽の排水を排出する排水部材等の浴室排水部が、浴槽や防水パンの下方に配置されている。このため、従来の浴室排水部は、専用の清掃具等を用いる等で、清掃（洗浄）を行うことになる。そしてこの専用の清掃具を用いた方法では、例えば開成させた排水栓の狭い隙間等を介して、この清掃具を浴室排水部に差し入れることになる。このため、この専用の清掃具を用いた方法等の従来の方法（構造）では、浴室排水部を清掃し難いという問題がある。
【０００５】
本発明は、上記事情に鑑みてなされたものである。その目的とするところは、浴室排水部を容易に洗浄可能とした浴室排水部の洗浄構造を提供することにある。
【課題を解決するための手段】
【０００６】
本発明は、下部に排水口を備えた浴槽と、この排水口に設けた排水栓と、少なくとも前記浴槽からの排水を浴室外に排出する浴室排水部とを備え、この浴室排水部洗浄用に前記排水に気泡を供給する気泡供給部を設けたものであることを特徴とする。
【０００７】
この浴室排水部の洗浄構造において、前記気泡供給部は、前記気泡を含む機能水を前記浴槽を介して前記排水口に供給する機能水生成部を備えたものであることが好ましい。
【０００８】
またこの浴室排水部の洗浄構造において、前記気泡供給部は、前記排水口から前記浴室排水部へ流れる前記排水に空気を導入してこの排水中に前記気泡を発生させる空気取入部を備えたものであることが好ましい。
【０００９】
またこの浴室排水部の洗浄構造において、前記排水栓を開閉させる作動部を設け、この作動部は、前記排水栓を開閉駆動させる駆動部と、前記排水口から前記浴室排水部への排水流量調整用の調整部とを備えたものであることが好ましい。
【００１０】
またこの浴室排水部の洗浄構造において、前記気泡供給部は、前記排水口から前記浴室排水部へ流れる前記排水に空気を導入してこの排水中に前記気泡を発生させる空気取入部と、前記浴槽の水位または排水速度を検出する検出部と、この検出部の検出結果が所定の閾値以下の場合に前記機能水生成部から前記機能水を供給させる制御部とを備えたものであることが好ましい。
【発明の効果】
【００１１】
本発明は、前記構成を具備したことで、細かい気泡を含ませた水（機能水）を、浴室排水部に流入させる（供給する）ことができる。これにより本発明は、前記排水時に、機能水でない水を流す場合に比べて、浴室排水部の汚れを外部に排出し易くすることができる。このため本発明は、浴室排水部に差し入れる清掃具で清掃する場合等に比べて、浴室排水部を洗浄し易く（清掃し易く）することができる。
【図面の簡単な説明】
【００１２】
【図１】浴槽排水部の洗浄構造の断面図である。
【図２】排水口周辺の断面図を示し、（ａ）は排水栓閉成状態であり、（ｂ）は排水栓開成状態である。
【図３】空気取入部の変形例の排水口周辺の断面図である。
【図４】制御部等の説明用のブロック図である。
【発明を実施するための形態】
【００１３】
以下、本発明の実施形態について添付図面に基づいて説明する。本実施形態の浴室排水部４の洗浄構造は、浴室に設けられる。浴室は、図１に示すように、下部に排水口１４が設けられた浴槽１と、少なくとも洗い場の床面を形成する防水パン５と、浴槽１及び洗い場の水を外部に排出する浴室排水部４とを備える。
【００１４】
防水パン５は、浴槽１の下方に敷設される浴槽パン５１と、浴槽パン５１に隣接した洗い場となる洗い場パン５３とを備える。そして防水パン５は、洗い場パン５３の上面が浴槽パン５１の上面より上方に位置しており、浴槽パン５１と洗い場パン５３との間に、堰部５４を有する。洗い場パン５３は、その底部に、洗い場の湯水を排出するための洗い場側の排水口が設けられている。以下、浴槽１の排水口１４と区別するため、洗い場側の排水口を第２排水口５５と記載する。
【００１５】
浴槽１は、湯水が貯められる貯留部１１と、貯留部１１の上端から外方に向けて突出したフランジ片部１２とを備える。浴槽１は、フランジ片部１２と防水パン５の堰部５４との間に、エプロン部１３が取り付けてあり、エプロン部１３は貯留部１１の洗い場側の外面を隠蔽する。
【００１６】
また浴槽１の下部には、貯留部１１の水（浴水）を排出するための排水口１４（第１排水口）が設けてある。排水口１４は、前記下部の底部を上下方向に貫通して形成されており、平面視略円状に開口する。そして排水口１４は、径内方向側に円環状の受け片１４１が設けてあり、受け片１４１には、排水口１４を開閉自在で閉塞する開閉栓装置２が取り付けてある。
【００１７】
開閉栓装置２は、図２に示すように、排水口１４を開閉する排水栓２１と、排水栓２１に開閉動作を行わせる作動部２４と、排水栓２１を排水口１４に収納・保持する取付具３とを備える。そして開閉栓装置２は、排水栓２１の上下動を前記開閉動作とした所謂ポップアップ式の装置となっている。更に開閉栓装置２は、前記開閉動作（上下動）を遠隔操作する可能となっており、図４に示すように、作動部２４遠隔操作用の操作部２６が設けてある。
【００１８】
言い換えると、開閉栓装置２は、操作部２６の操作によって、作動部２４に排水栓２１を開放させる排水動作（排水モード）と、作動部２４に排水栓２１を閉塞させる浴水貯留動作（貯水モード）とに切替可能となっている。そして開閉栓装置２は、前記排水動作（排水モード）として、通常排水動作（第１排水モード）と、第１排水モードに比べて排水流量が少ない洗浄用排水動作（第２排水モード）とを有する。なお、洗浄用排水動作（第２排水モード）の詳細は後述する。
【００１９】
作動部２４は、操作部２６の操作によって駆動する駆動部（不図示）と、この駆動部の駆動によって前記開閉動作を行わせるレリース２５とを備える。レリース２５は、アウターチューブ２５１と、アウターチューブ２５１内に配設されたインナーワイヤー（不図示）とを備える。このインナーワイヤーは、アウターチューブ２５１に対し相対的に進退自在に移動する。
【００２０】
またレリース２５は、第１端２５ａが排水栓２１に取り付けられ、第１端２５ａとは反対側の第２端（不図示）が前記駆動部に取り付けられる。このため、作動部２４は、前記駆動部を排水栓２１（排水口１４）から離れた位置に設けることが可能となっている。そしてレリース２５は、前記駆動部の駆動によって前記インナーワイヤーが進退移動する。これにより作動部２４は排水栓２１に開閉動作を行わせる。以下、前記インナーワイヤーにおいて、前記第２端側から第１端２５ａ側に向かう移動を前進とし、反対向きの移動を後退とする。
【００２１】
前記駆動部は、操作部２６の操作に応じて駆動する。このため、作動部２４は、操作部２６の操作によって、レリース２５（前記インナーワイヤー）を進退移動させる（駆動する）。言い換えると、前記駆動部は、前記操作に応じてレリース２５を駆動して、前記インナーワイヤーを前進させる前進モードと、前記インナーワイヤーを後退させる後退モードとのうち、いずれかを行わせる。
【００２２】
そして前記駆動部は、前記前進モードを大小異なる前進量で二つ有する。この二つの前進モードは、例えば、前記インナーワイヤーを第１前進量で前進させる第１モードと、第１前進量より小さい第２前進量で前進させる第２前進モードとなっている。
【００２３】
また前記駆動部は、前記前進モードで駆動した状態において、前記後退モードを行うことができる。そして前記後退モードでは、対応する前記前進モード（前記後退モードで駆動する直前の前進モード）における前進量と略同じ量で、前記インナーワイヤーを後退させる。
【００２４】
排水栓２１は、排水口１４を閉塞する栓部２２と、栓部２２を開閉させるメカボックス２３とを備える。栓部２２は、排水口１４を閉塞する蓋部２２１と、蓋部２２１の下部に設けた被取付部２２２とを備える。そして被取付部２２２には、メカボックス２３が取り付けられる。これにより栓部２２は、メカボックス２３に取り付けられる。
【００２５】
メカボックス２３は、下端部にレリース２５が取り付けられ、上端部に栓部２２（被取付部２２２）が取り付けられる。メカボックス２３は、操作部２６の操作に応じてインナーワイヤーが押し込まれる（前進する）と、上方に向けて栓部２２を駆動する。これにより開閉栓装置２は排水口１４を開放する。そしてメカボックス２３は、排水口１４を開放した状態において、インナーワイヤーが引っ張られる（後退する）と、下方に向けて栓部２２を駆動する。これにより排水栓２１は排水口１４を閉塞する。
【００２６】
更にメカボックス２３は、前記前進モード毎に異なるリフトアップ量で、栓部２２を押し上げる。このため、排水栓２１は、前記第１モードと前記第２モードとで、排水口１４と蓋部２２１との上下の間の幅（開成量）が異なる。言い換えると、開閉栓装置２は、開成量を大小２段階で、排水栓２１を開放可能となっている。そして開閉栓装置２は、前記第１モードで排水栓２１を開放させた状態（第１開放状態）に比べて、前記第２モードで開放させた状態（第２開放状態）の前記開成量が小さく設定されている。
【００２７】
このため、第２開放状態では、第１開放状態に比べて、浴水の排出量（浴槽１からの排水流量）が小さく抑えられる。そして前記第１モードは、前記第１排水モードに対応しており、前記第２モードは、前記第２排水モードに対応している。言い換えると、作動部２４は、前記駆動部を介して排水栓２１の開成量を調整する調整部（不図示）を備える。そして開閉栓装置２は、この調整部によって、前記第１排水モードと前記第２排水モードとで、排水口１４から浴室排水部４への排水流量を切替可能となっている。
【００２８】
また開閉栓装置２は、図４に示すように、制御部６４と電気的に接続される。制御部６４は、例えば、操作部２６の操作に応じる等で、駆動部の駆動を制御する。そして開閉栓装置２は、制御部６４の制御に応じて、第１排水モード、第２排水モード、貯水モードの各モードへの切替を行う。なお、制御部６４による制御の詳細は、後述する。
【００２９】
操作部２６は、浴槽１のフランジ片部１２或いはフランジ片部１２から上方に立ち上がる浴室の壁面に設けてある。そして操作部２６は、例えば、ユーザー（操作者）に押圧される操作ボタン（不図示）を有する。この場合、制御部６４は、前記操作ボタンがユーザー（操作者）に押圧される毎に、洗浄用排水動作（第２排水モード）、通常排水動作（第１排水モード）、浴水貯留動作（閉成状態である貯水モード）をこの順番で繰り返し切り替える制御を行う。なお、操作ボタンは、モード毎に夫々設けて、制御部６４が押圧された操作ボタン毎に応じたモードで制御を行うものであってもよい。また操作部２６は、操作ボタンに限らず、回動スイッチや、スライドスイッチ等であってもよい。
【００３０】
取付具３は、その内部にメカボックス２３が収納・配置される。そして取付具３は、排水口１４に取り付けられる。このため、排水栓２１（メカボックス２３）は、取付具３を介して排水口１４に取り付けられる。
【００３１】
取付具３は、排水口１４内に上方から挿入される円筒状の上部材３１と、上部材３１より大径の円筒状で上部材３１の下部に取り付けられる下部材３２とを備える。そして取付具３は、上部材３１及び下部材３２の円筒内に排水口１４からの排水が流通可能となっており、流路筒７として機能する。
【００３２】
上部材３１は、円筒の上端に上鍔部３１１が設けてある。上鍔部３１１は円環状に形成されており、上部材３１の円筒と略同心で径外方向に突出して設けてある。上鍔部３１１は、受け片１４１との間に水密部材３５を介在して、受け片１４１に載置される。これにより上部材３１は、排水口１４に取り付けられる。そして上部材３１は、上端部の内周側に、排水栓２１が配置される。この状態で、開閉栓装置２は、上鍔部３１１の上面に蓋部２２１の下面外周を当接することで、排水口１４を閉塞する。
【００３３】
また上部材３１は、その下部が浴槽１より下方に突出しており、この下部の外周面に、ねじ部３１２が設けてある。ねじ部３１２は、下部材３２の上部に螺合する。これにより下部材３２が上部材３１に固定される。このため、下部材３２は上部材３１を介して浴槽１に固定された状態となっており、浴槽パン５１に固定されない状態（非固定）となっている。
【００３４】
下部材３２は、その上部の外周面に、ねじ部３２２が設けてあり、上部材３１のねじ部３１２と螺合する。これにより下部材３２は、円筒の内周側を上部材３１の内周側及び排水口１４に連通させた状態で、浴槽１に固定される。
【００３５】
更に下部材３２は、円筒の上端に下鍔部３２１が設けてある。下鍔部３２１は円環状に形成されており、下部材３２の円筒と略同心で径外方向に突出して設けてある。下鍔部３２１は、直接或いはスペーサ３４を介して、受け片１４１の下面に当接される。このため、取付具３は、上部材３１（上鍔部３１１）と下部材３２（下鍔部３２１）とで受け片１４１を挟持して、浴槽１に取付・固定される。
【００３６】
また下部材３２の下部は、上部材３１の内径に比べて内径が小寸の小径部７２と、下部材３２の上部から小径部７２に向けて内径を狭める絞り部７１と備える。言い換えると、下部材３２の下部には、絞り部７１と小径部７２とが設けてあり、浴槽１からの排水は、上部材３１から絞り部７１を介して小径部７２に流通される。そして流路筒７は、上部材３１等の絞り部７１より上流側の部位に比べて、小径部７２での流速が速くなり易い。
【００３７】
浴室排水部４は、浴槽１側の排水部（第１排水部４１）と、洗い場側の排水部（第２排水部４７）と、両排水部を連通させる連通経路４８と、外部の排水管に接続される排水経路４９とを備える。連通経路４８は、例えば連通管で形成されており、その上流側が第１排水部４１の下流側に接続される。そして連通経路４８は、その下流側が第２排水部４７の上流側に接続される。また浴室排水部４は、第２排水部４７の下流端が排水経路４９を介して前記排水管に接続される。
【００３８】
このため、浴室排水部４は、浴槽１と洗い場とに跨って設けてあり、浴槽１及び洗い場の下方に位置する。そして浴室排水部４は、浴槽１側から排出される湯水（浴槽１側の排水）及び洗い場側から排出される湯水（洗い場側の排水）を、前記排水管に排出する。言い換えると、浴室排水部４は、浴槽１側の排水と洗い場側の排水とを合流させて、外部に排出する所謂連通型の排水部となっている。
【００３９】
第１排水部４１は、流路筒７の下端（下流側）が接続されており、流路筒７を介して排水口１４に連通される。そして第１排水部４１は、上方に開口し浴槽１からの排水を受ける第１本体４１１と、第１本体４１１の上方開口を覆い流路筒７に連通・接続される覆い部４３とを備える。
【００４０】
第１本体４１１は、箱状に形成されており、その側壁の下部に流出部４１２が設けてある。流出部４１２は、第２排水部４７側に向けて開口しており、連通経路４８が接続される。また、第１本体４１１の上端部は、その内面にねじ部４１３が設けてあり、反対側である外面には、外方に向けて突出した下フランジ片４２が設けてある。
【００４１】
覆い部４３は、第１本体４１１の上方開口を覆う上面部４３１と、流路筒７に連通接続される開口部４６と、上面部４３１の外周縁に沿って形成された筒状部４４と、筒状部４４の上端から外方に向けて突出した上フランジ片４５とを備える。
【００４２】
上面部４３１は平板状に形成されており、筒状部４４を介して第１本体４１１に取り付けられる。筒状部４４は、その下部が上面部４３１から下方に突出する。筒状部４４の前記下部は、その外面に、第１本体４１１のねじ部４１３に螺合するねじ部４４１が形成されている。このため、覆い部４３は、ねじ部４１３にねじ部４４１を螺合させることで、第１本体４１１に取り付けられる。この螺合させた状態において、下フランジ片４２と上フランジ片４５との間には、パッキン５２を介在して浴槽パン５１が配置されており、浴槽パン５１は、下フランジ片４２と上フランジ片４５とで挟持される。これにより第１排水部４１は、浴槽パン５１に取り付けられる。
【００４３】
また上面部４３１は、筒状部４４より外方の部位に、浴槽パン５１用の排水口（不図示）が設けてあり、浴槽パン５１上の水が第１排水部４１に排出される。なお浴槽パン５１用の前記排水口には、臭気逆流防止用の弁部材（不図示）が設けてあり、第１排水部４１内の臭気を浴槽パン５１の上面側へ漏れ難くしている。
【００４４】
開口部４６は、上面部４３１から上方に開口しており、この開口で流路筒７（排水口１４）と連通・接続される。そして開口部４６は、上面部４３１から下方に突出する円筒形状となっており、その筒内（内周側）が流路として機能する。更に開口部４６は、その上部の内面が、内方下向きに傾斜した傾斜面となっており、絞り部７１の外周面が当接される。
【００４５】
また開口部４６は、円筒の下端が、第１排水部４１の封水線より下方に位置する。このため、開口部４６は、第１排水部４１のトラップ筒として機能する。これにより第１排水部４１は、第１本体４１１内に封水を形成可能となっている。
【００４６】
第２排水部４７は、洗い場からの排水を受ける第２本体４７１を備える。第２本体４７１は、洗い場パン５３の下方に取り付けてあり、第２排水口５５に連通・接続される。そして第２本体４７１は箱状に形成されており、その側壁の下部に流入部（不図示）が設けてある。この流入部は、第１排水部４１側に向けて開口しており、連通経路４８が接続される。このため、流出部４１２からの排水（浴槽側からの排水）は、連通経路４８を介して前記流入部から第２本体４７１（第２排水部４７）に流入される。
【００４７】
更に第２本体４７１は、その上部に第２排水口５５に連通接続される第２開口部（不図示）を備えており、第２開口部には、第２本体４７１内に封水を形成するためのトラップ筒（不図示）が設けてある。なお、洗い場パン５３の浴槽１側には、洗い場パン５３の上面より下方に凹んだ凹所５６が設けてあり、凹所５６の奥面に第２排水口５５が形成されている。また凹所５６には、洗い場パン５３の上面と略面一となるよう目皿５７が脱着自在で取り付けられる。
【００４８】
また第２本体４７１は、その下流側が排水経路４９の上流側に接続される。排水経路４９は、その下流側が前記排水管に接続される。このため、浴室排水部４は、排水経路４９によって、浴槽１側の排水と洗い場側の排水とを合流させた上で前記排水管に排出する。
【００４９】
ところで、浴室排水部４は、防水パン５に取り付けられ、浴槽１や洗い場パン５３の下方に配置されるため、浴槽１（貯留部１１）や洗い場パン５３の上面に比べて、洗浄（清掃）し難くなっている。このため、本実施形態の浴室には、図１に示すように、浴室排水部４の洗浄構造（以下、本構造とする）が設けてある。
【００５０】
本構造は、排水口１４を備えた浴槽１と、排水口１４に取り付けられた排水栓２１と、少なくとも浴槽１の排水を外部に排出する浴室排水部４と、浴槽１からの排水に細かい気泡９１を供給する気泡供給部６とを備える。そして本実施形態では、前述の通り、浴室排水部４が浴槽１の排水と洗い場の排水とを前記排水管に排出する。更に本構造は、通常排水用の第１排水モードの他に、浴室排水部４の洗浄用に前記第２排水モードを有しており、この第２排水モードが第１排水モードに比べて排水流量が少ない。
【００５１】
気泡供給部６は、気泡９１を含む機能水を浴槽１を介して排水口１４に供給する機能水生成部６１（図１参照）と、排水口１４から浴室排水部４へ流れる排水に空気を供給してこの排水に気泡９１を含ませる空気取入部６２（図２参照）とを備える。なお、図２，３における気泡９１は、空気取入部６２の説明の便宜上、模式的に示したものに過ぎない。
【００５２】
機能水生成部６１は、例えば、貯留部１１の水（浴水）を吸入した後、この浴水に気泡９１を含ませて機能水として、再度貯留部１１（浴槽１）に吐出する循環型のものとなっている。機能水生成部６１は、図１に示すように、浴水を吸入する吸入部６１２と、吸入部６１２で吸入した浴水を貯留部１１に吐出する（戻す）吐出部６１３と、吐出部６１３から吐出する浴水に気泡９１を含ませる本体部６１１とを備える。
【００５３】
本体部６１１は浴槽１の外側に配置される。本体部６１１は、吸入部６１２から吐出部６１３に浴水を流動させる循環経路（不図示）と、この循環経路内の浴水に気泡９１を含ませる含有部（不図示）と、前記循環経路を介して吸入部６１２から吐出部６１３に前記浴水を流動させるポンプとを備える。そして本体部６１１は、この含有部で前記浴水に気泡９１を含ませることで、機能水を生成する。また含有部は、循環経路内に設けられる。
【００５４】
吸入部６１２及び吐出部６１３は、本体部６１１と浴槽１との間に設けられる。そして吸入部６１２及び吐出部６１３は、一方の端部が本体部６１１に連通・接続し、他方の端部が浴槽１の側壁下部で貯留部１１に連通・接続する。このため、機能水生成部６１は、貯留部１１の水面（水位）が吸入部６１２と略同じ状態や吸入部６１２より高い状態等の、吸入部６１２から一定流量以上で浴水を吸入可能な状態で、機能水を生成することができる。なお、前記含有部は、機能水を貯留部１１に供給可能であれば、本体部６１１に限らず、吸入部６１２や吐出部６１３に設けてもよい。
【００５５】
また機能水生成部６１は、本体部６１１で生成した機能水を、吐出部６１３から貯留部１１（浴槽１）に吐出して、貯留部１１に供給する。そして機能水生成部６１は、排水栓２１開成状態（排水モード）において、浴槽１（貯留部１１）を介して排水口１４に機能水を供給して、排水口１４から浴室排水部４（第１排水部４１）に流入させる。言い換えると、機能水は、浴槽１からの排水として、排水口１４から第１排水部４１に排出される。
【００５６】
なお、機能水生成部６１は、水道管等の外部の給水路から供給された水に気泡９１を含ませて機能水を生成する給水型のものや、循環型及び給水型の両機能を備えたもの等であってもよい。給水型のものや両機能を備えたのもの等では、貯留部１１に浴水を溜めていない状態等の吸入部６１２で浴水を吸入し難い状態であっても、機能水を生成・供給可能となる。言い換えると、給水型のものや両機能を備えたのもの等では、浴水の貯留量に依らずに、機能水を生成して、排水口１４に供給することができる。
【００５７】
空気取入部６２は、図２に示すように、例えば、排水口１４と浴室排水部４とを連通・接続させる流路筒７に設けてある。具体的には、下部材３２の下部に設けてあり、下部材３２の周壁に形成した貫通路６２１と、貫通路６２１に設けた逆止弁６２３とを備える。
【００５８】
貫通路６２１は、浴槽パン５１の上面と浴槽１の前記底部との間の空間（外気空間９）と、下部材３２の内周側の空間（流路筒７内）とを連通させる。言い換えると、貫通路６２１は、下部材３２の前記周壁に貫通して設けてあり、流路筒７の内外を連通させる。そして貫通路６２１は、その流路筒７内側に位置する端部が、下部材３２の下端部で内側に開口する。言い換えると、貫通路６２１は、外気空間９と小径部７２内とを連通させる。
【００５９】
逆止弁６２３は、貫通路６２１の流路筒７側の端部に設けてあり、開閉自在で貫通路６２１を閉塞する。逆止弁６２３は、流路筒７内の圧力が外気空間９の圧力（気圧）に比べて低くなり流路筒７が負圧になる等で、流路筒７内が所定の圧力（以下、所定圧とする）未満になることで、開成する。そして逆止弁６２３は、この開成時に、貫通路６２１を介して、外気空間９の空気（外気）が流路筒７に流入する。また逆止弁６２３は、前記開成時に、流路筒７が正圧となる等で、流路筒７内が所定圧以上になることで、閉成する。
【００６０】
このため、空気取入部６２は、浴水等の浴槽１からの排水が排水口１４から浴室排水部４に流れて、流路筒７内が所定圧未満になることで、流路筒７に外気（空気）を取り入れさせて（導入させて）、この排水中に細かい気泡９１を発生させる。言い換えると、空気取入部６２は、流路筒７を流れる排水に気泡９１を含ませることで、この排水を機能水にしており、この浴槽１からの排水は、流路筒７で機能水となって、第１排水部４１に排出される。
【００６１】
これにより本構造は、機能水を浴室排水部４に供給することができて、浴室排水部４に機能水でない水を流す場合に比べて、効率よく浴室排水部４を洗浄することができる。なお、逆止弁６２３は、図３に示すように、貫通路６２１の途中等に設けてもよい。この場合では、前記排水と共に流路筒７に流入した髪等を逆止弁６２３に付着し難くすることができて好ましい。
【００６２】
更に気泡供給部６は、気泡９１を粉砕する等で細分化する細分化部を備える。細分化部は、例えば、第１本体４１１で形成される。そしてこの細分化部は、機能水が流路筒７より広い空間（第１本体４１１内）に吐出されることや、機能水（排水）の流れ方向が流路筒７に沿った向きから流出口に向かう向きに変化すること等により、細かい気泡９１を細分化する。
【００６３】
また本構造は、図４に示すように、貯留部１１における浴水（貯水）の水位を検出する検出部６５が設けてある。検出部６５は、水位センサー等の周知の技術で形成されており、前記貯水の水位を、直接或いは間接的に検出可能であれば、水位センサーに限らない。
【００６４】
そして本構造は、制御部６４を更に含む。制御部６４は、検出部６５及び機能水生成部６１と夫々電気的に接続されており、検出部６５の検出結果に応じて、気泡供給部６を制御する。具体的には、制御部６４が、第２排水モードにおいて、検出部６５の検出結果が所定の閾値以下の場合に、機能水生成部６１を作動させて、機能水生成部６１に機能水を生成させる。このため、機能水生成部６１は、制御部６４によって、検出部６５及び開閉栓装置２と連動して作動する。なお、制御部６４は、第２排水モードにおいて、検出部６５の検出結果が所定の閾値を超過する場合、機能水生成部６１に機能水を生成させない（機能水生成部６１を作動させない）。
【００６５】
前記閾値は、例えば、浴槽１からの排水（貯水）の水頭圧が所定値以下となる状態の水位条件、或いは所定値以下に低下する直前の水位条件となっている。そして前記水頭圧が前記所定値以下となった場合には、流路筒７内の圧力が前記所定圧以上となり易い状態となっている。このため、前記閾値以下の場合では、逆止弁６２３が閉成し易く、空気取入部６２から流路筒７の排水に空気を導入し難い状態となる。
【００６６】
ここで、本構造では、前記閾値以下の場合に、制御部６４が機能水生成部６１を作動させるため、貯水の一部または全部が機能水となる。これにより本構造では、前記閾値以下の場合に、機能水を含む貯水が排水口１４から浴室排水部４に排出される。なお、検出部６５は、例えば流路筒７の排水速度を検出するものであってもよい。この場合、制御部６４は、検出部６５で検出された排水速度が所定の閾値以下の場合に、機能水生成部６１に機能水を生成させる。
【００６７】
このように、本構造は、浴室排水部４洗浄用の気泡供給部６を設けたことで、浴槽１から浴室排水部４に排出される排水に気泡９１を供給して、機能水にすることができる。このため、本構造は、機能水（細かい気泡９１を含む排水）を浴室排水部４に排出・流入させることで、浴室排水部４に機能水でない水を流す場合に比べて、効率よく浴室排水部４を洗浄することができる。言い換えると、本構造は、単なる水に比べて浴室排水部４に対する洗浄効果の高い機能水を、排水口１４から浴室排水部４に排出することができる。これにより本構造は、専用の清掃具を用いて浴室排水部４を清掃する場合に比べて、清掃作業が容易になり、清掃を行い易くすることができる。
【００６８】
更に本構造は、機能水によって洗浄効果が得られるため、例えば薬剤を用いて清掃を行う際に、単に水で浴室排水部４へ流し込む場合に比べて、例えばこの薬剤の使用量を少なくしたり、濃度を薄くしたり等することができる。このため、本構造は、浴室排水部４の構成部材に樹脂部材を用いた場合等において、この樹脂部材の前記薬剤等による劣化等の影響を軽減し易くすることができる。
【００６９】
また機能水生成部６１は、機能水を、浴槽１（貯留部１１）を介して排水口１４に流すため、浴室排水部４に加えて、排水口１４や流路筒７等を洗浄することができる。更に機能水生成部６１は、浴水を機能水にできるため、機能水を貯留した状態での入浴が可能となる等、入浴に利用することができる。
【００７０】
また空気取入部６２は、流路筒７の貫通路６２１と逆止弁６２３で形成可能であるため、浴室における設置空間を確保し易かったり、下部材３２の交換・変更で取付可能であったり等、設け易く、利用者の経済負担を軽減し易くすることができる。更に空気取入部６２は、絞り部７１より上流側で連通させた場合に比べて、排水の流速が速い絞り部７１より下流側（小径部７２）に貫通路６２１を連通させたため、排水流動時に逆止弁６２３を開成し易くすることができる。このため、空気取入部６２は、排水に外気を取り込ませて、機能水にし易くすることができる。
【００７１】
また気泡供給部６は、機能水生成部６１や空気取入部６２の下流側に前記細分化部を設けたことで、機能水の気泡９１のサイズを小さくし易くすることができる。このため、機能水は、浴室排水部４流動中に、気泡９１のサイズが大きくなった場合でも、気泡９１を洗浄可能なサイズに維持し易くすることができる。これにより本構造は、連通経路４８、第２排水部４７、排水経路４９や、前記排水管等に機能水を供給し易くなり、これら第２排水部４７等を機能水で洗浄し易くすることができる。言い換えると本構造は、前記細分化部を備えたことで、機能水の流動可能な距離が伸びる等で、機能水で洗浄可能な範囲を広くし易くすることができる。
【００７２】
また本構造では、開閉栓装置２に前記調整部を設けたことで、浴水の排出を優先する場合、第１排水モードとし、機能水による浴室排水部４の洗浄を優先する場合、第２排水モードとすることができる。言い換えると、本構造は、第２排水モードで排水動作を行うことで、排水流量を第１排水モードに比べて少なく抑えて、機能水による洗浄効果を得易くすることができる。そして本構造は、第１排水モードで排水動作を行うことで、従来の浴槽１と同程度の排水流量で浴水の排出を行うことができる。
【００７３】
また本構造では、前記閾値超過の場合に空気取入部６２により浴室排水部４に機能水を供給して、前記閾値以下の場合に機能水生成部６１により浴室排水部４に機能水を供給する。このため、本構造では、機能水生成部６１の作動による電力消費を抑えて、機能水による清掃を行うことができる。
【００７４】
なお本発明は、前述の実施形態の構成のみに限定されるものではなく、本発明の意図する範囲内であれば、適宜の設計変更を行うことが可能である。例えば前記調整部は、第２排水モードの際に、排水栓２１を所定の間隔で開閉させて、間欠的に排水を行い排水流量を調整するものや、この間欠的な排水と前記二段階の開成量の両方で排水流量を調整するもの等であってもよい。
【００７５】
また例えば作動部２４は、前記駆動部を備えないものであってもよい。この場合、例えば開閉栓装置２は、操作部２６がユーザー（操作者）に押圧される毎に、操作部２６によってインナーワイヤーが進退するものとなっている。これにより開閉栓装置２は、前記押圧によって、排水栓２１に、洗浄用排水動作（第２排水モード）、通常排水動作（第１排水モード）、浴水貯留動作（閉成状態である貯水モード）をこの順番で繰り返し切り替えさせる。
【００７６】
また例えば気泡供給部６は、機能水生成部６１と空気取入部６２とのうちいずれか一方を備えたものであってもよい。そして例えば機能水生成部６１を備えない場合では、水頭圧を得難い浴水の排水後期等の前記水位が閾値以下の場合等に、開閉栓装置２を第２排水モードから第１排水モードに切り替えて、浴水の排出を優先してもよい。また例えば機能水生成部６１は、給水型の場合、浴槽１に供給する機能水の量を調整することで、排水流量を調整してもよい。言い換えると、前記調整部は、機能水生成部６１等の気泡供給部６に設けてもよい。
【符号の説明】
【００７７】
１  浴槽
１４  排水口（第１排水口）
２  開閉栓装置
２１  排水栓
２４  作動部
２６  操作部
３  取付具
４  浴室排水部
４１  第１排水部
４７  第２排水部
４８  連通経路
４９  排水経路
５  防水パン
５１  浴槽パン
５３  洗い場パン
６  気泡供給部
６１  機能水生成部
６２  空気取入部
６４  制御部
６５  検出部
７  流路筒
７１  絞り部
７２  小径部
９  外気空間
９１  気泡
【図１】
2014095238.tif 000003
【図２】
2014095238.tif 000004
【図３】
2014095238.tif 000005
【図４】
2014095238.tif 000006